(57)【特許請求の範囲】
【請求項１】
演奏用の凸部又は孔部による演奏用係合部を備えたオルゴールディスクを用いるディスクオルゴールにおいて、
前記オルゴールディスク１の中央部の装着孔２Ａに、該ディスクがディスクオルゴール２０に回転可能にセットされるためのアダプター５を装着し、更に前記オルゴールディスク１とアダプター５は、両部材の所定箇所に設けた嵌合部によって位置決めがなされるものであって、
前記アダプター５は、前記ディスクオルゴール２０の軸２２に回転可能に挿嵌される軸挿嵌部６と、前記オルゴールディスク１の前記装着孔２Ａを嵌着するとともに該ディスクの抜けを阻止する抜け止め構造を有する嵌着部７と、を備えて構成され、
前記オルゴールディスク１を装着した前記アダプター５を、該アダプターの前記軸挿嵌部６を前記軸２２に挿嵌することにより、オルゴールディスク１をアダプター５を介して前記ディスクオルゴール２０に回転可能にセットするものであることを特徴とするディスクオルゴール。
【請求項２】
前記嵌合部は、オルゴールディスク１に形成された位置決め孔２Ｂと、アダプター５に形成された突起部９ａとから構成され、前記嵌着部７の前記抜け止め構造は、爪部７ａを備えてなることを特徴とする請求項１記載のディスクオルゴール。
【請求項３】
前記アダプター５には、前記オルゴールディスク１の回転停止及び開始位置を規定するための切欠き部９ｂが形成されていることを特徴とする請求項１記載のディスクオルゴール。
【請求項４】
前記アダプター５は、オルゴールディスク１を装着した部位の下部周面に歯車部８を備え、この歯車部８は、アダプター５が前記軸２２に挿嵌された際、前記ディスクオルゴール２０の駆動機構の出力歯車に噛合するものであることを特徴とする請求項１記載のディスクオルゴール。
【発明の詳細な説明】
【０００１】
【発明の属する技術分野】
本発明は、オルゴールディスクを着脱可能に装着するディスクオルゴールに関する。
【０００２】
【従来の技術】
一般に、時計等の報知に用いられる発音手段としては、発音回路及びスピーカ等を用いて、無機的な電子音を得るものに限らず、機械的なオルゴールを用いて、柔らかく古風なオルゴール音を得るようにしたものが知られている。
【０００３】
このようなオルゴールは、単一の曲目をオルゴール演奏するものが一般的であり、この音程に応じた複数の発音部分を備えた長板状の発音体と、この発音体に対向配置され所定の演奏タイミングで発音体の発音部分を爪弾く突起が突設されたドラム体と、このドラム体を一定速度で回転駆動する駆動部とから構成されている。
【０００４】
すなわち、この発音体は、略長板状の金属板を、音階数に応じた所定数の発音部分であるクシ歯状に形成され、これらクシ歯部分（オルゴール弁）は、所定の長さ且つ厚さに形成され、このオルゴール弁の先端が爪弾かれた場合には、分担する音階のオルゴール音が発生するようにしている。また、ドラム体は、少なくとも発音体より長い円筒状に形成され、発音体の発音部位に対峙して回転可能に配設され、発音体の発音部分に対応した外周には、曲目に合わせて間歇的な突起が形成されている。そして、駆動部が、ドラム体を一定方向に所定スピードで回転駆動することにより、所定のタイミングでドラム体の各突起が、発音体の各発音部位を爪弾くことにより、曲目をオルゴール演奏している。
【０００５】
また、このような予め組込まれたドラム体の替わりに、異なる曲目が記録された複数のオルゴールディスクを、交換可能に構成し、任意の曲目をオルゴール演奏できるようにしたオルゴールも、提案されている。
【０００６】
このオルゴールディスクは、円盤状に形成され、該オルゴールディスクの一面を発音体のオルゴール弁に応じて複数トラックに区画し、そのトラックが分担した音階の演奏タイミングに応じた周方向の箇所に演奏用係合部を形成した構成とされ、これらの演奏用係合部は、オルゴールディスクの所定箇所に設けた突起や所定径の孔により構成されている。そして、このような演奏用係合部を用いて、発音体の所定部位を、爪弾くことによって、オルゴール演奏が行われる。
【０００７】
すなわち、このオルゴールディスクを用いるオルゴールは、多数の演奏用係合部を備えた円板状のオルゴールディスクを装着してオルゴール演奏するものであって、オルゴールディスクはオルゴール本体部の駆動機構により回転駆動され、他方、オルゴール本体部には、発音体のオルゴール弁を弾くスターホイールを、スターホイール軸に回転可能に装着している。そして、駆動機構によりオルゴールディスクを回転させると、オルゴールディスクの演奏用係合部が該演奏用係合部に対応するスターホイールの爪を引っ掛けて該スターホイールを回転させ、この回転するスターホイールに後続する他の爪により、所定のタイミングで所定音階のオルゴール弁を弾いてオルゴール音を生成し、メロディを奏でることができる。
【０００８】
また、このディスクオルゴールは、スターホイールに対向する部位のオルゴールディスクを、押えローラを備えたオルゴールディスク押えアームで片側面から押圧して保持することにより、比較的に薄い厚さのオルゴールディスクを用いることができる。従って、異なる曲目パターンが形成されたオルゴールディスクを、多数、廉価に制作することができるとともに、オルゴールディスク自体が薄板円盤状なので、ＣＤサイズのメディアと同様に、収納、保管も容易に行え、効率的に輸送することができ、効率的な商品流通が図れる。
【０００９】
更に、このようにオルゴールディスク自体の取扱が容易なので、オルゴールに着脱することも簡易に行え、短時間にオルゴールディスク交換できる。従って、予め異なる曲目のオルゴールディスクを複数枚、用意しておき、これらのオルゴールディスクから任意の曲目を選択してオルゴールディスク交換することにより、オルゴール演奏する曲目変更を迅速且つ容易に行うことができる。
【００１０】
このように、ディスクオルゴールは、ドラム固定型の１曲専用のオルゴールに比べて、複数のオルゴールディスクから任意のオルゴールディスクを選択して簡単に装着できるので、曲目の変更が柔軟且つ容易に行える利点を有している。
【００１１】
【発明が解決しようとする課題】
このようなディスクオルゴールにオルゴールディスク自動交換機構を設けようとした場合、従来のオルゴールディスクでは、オルゴールディスクの中央部にディスクオルゴールに対する装着孔が設けられているだけなので、ディスクの装着性延いてはディスクの交換性が毀損される可能性があり、また、オルゴールディスクを装着したときのディスクオルゴールに対するディスクの位置決めや、演奏時のディスク回転の安定性を考慮する必要がある。
【００１２】
そこで、本発明は、この種のディスクオルゴールにおいて、ディスク交換が容易で、且つ、ディスク回転の安定性を向上したディスクオルゴールを提案するものである。
【００１３】
【課題を解決するための手段と作用効果】
本願第１請求項の発明は、演奏用の凸部又は孔部による演奏用係合部を備えたオルゴールディスクを用いるディスクオルゴールにおいて、
前記オルゴールディスク１の中央部の装着孔２Ａに、該ディスクがディスクオルゴール２０に回転可能にセットされるためのアダプター５を装着し、更に前記オルゴールディスク１とアダプター５は、両部材の所定箇所に設けた嵌合部によって位置決めがなされるものであって、
前記アダプター５は、前記ディスクオルゴール２０の軸２２に回転可能に挿嵌される軸挿嵌部６と、前記オルゴールディスク１の前記装着孔２Ａを嵌着するとともに該ディスクの抜けを阻止する抜け止め構造を有する嵌着部７と、を備えて構成され、
前記オルゴールディスク１を装着した前記アダプター５を、該アダプターの前記軸挿嵌部６を前記軸２２に挿嵌することにより、オルゴールディスク１をアダプター５を介して前記ディスクオルゴール２０に回転可能にセットする構成のディスクオルゴールである。
【００１４】
前述したように、従来のオルゴールディスクでは、オルゴールディスクの中央部に設けられている装着孔を、ディスクオルゴールに直接、装着するものであったが、本発明においては、所定のアダプターを用いて、このアダプターにオルゴールディスクを装着するとともに、オルゴールディスクを装着した当該アダプターを、該アダプターの前記軸挿嵌部を前記軸に挿嵌することにより、オルゴールディスクをアダプターを介して前記ディスクオルゴールに回転可能にセットするものである。従って、オルゴールディスクの装着孔が直接、ディスクオルゴールに装着されるものではないので、オルゴールディスクの装着孔の部位がディスクオルゴールの装着部に当たって、オルゴールディスクが毀損される事態を回避することができる。また、オルゴールディスクをアダプターを介してディスクオルゴールに回転可能にセットするものであるため、請求項４のように、ディスクオルゴールの駆動機構の出力歯車をアダプターに係合させて、該アダプターを回転駆動させることによりオルゴールディスクを回転させることも可能になる。
【００１５】
本願第２請求項の発明は、前記請求項１の発明において、前記嵌合部は、オルゴールディスク１に形成された位置決め孔２Ｂと、アダプター５に形成された突起部９ａとから構成され、前記嵌着部７の前記抜け止め構造は、爪部７ａを備えてなるディスクオルゴールである。
【００１６】
このように、嵌合部を、オルゴールディスクに形成された位置決め孔と、アダプターに形成された突起部とで構成することは比較的簡易且つ容易に行うことができ、しかもその嵌合状態は安定的である。
【００１７】
本願第３請求項の発明は、前記請求項１の発明において、前記アダプターには、切欠き部が形成されている構成のオルゴールディスクである。
【００１８】
このように、アダプターに切欠き部を形成すると、オルゴールディスクの回転位置がこの切欠き部によって表象されるので、例えばリミットスイッチ等を用いてこの切欠き部と連係させれば、オルゴールディスクの回転停止や、別途の装置を設けた場合に該装置の開始乃至停止動作を行うことができる。
【００１９】
【発明の実施の形態】
以下に、本発明のディスクオルゴールに係る第１具体例を図１ないし図９に基づいて説明する。
【００２０】
図１及び図２に示すように、本例のオルゴールディスク１（以降、ディスク１と称する）は、該ディスク１に脱着容易なアダプター５を用いて、ディスクオルゴール２０にセットすることにより、容易且つすばやくディスク交換できるようにするとともに、安定したオルゴール演奏を行えるようにしたものである。
【００２１】
尚、後述するが、本例のディスク１自体は、基本的に従来構成と同様に、演奏用の係合部３（係合突起３Ａ）を設けたオルゴールディスクであり、そして、従来構成と同様なディスクオルゴール２０に用いられるので、まず、このディスクオルゴール２０を説明し、次に、本例のディスク１を説明する。
【００２２】
このディスクオルゴール２０は、略平板素材を用いて所定の平面形状に形成されたベース台２１と、このベース台２１上に立設された中心軸２２と、この中心軸２２にアダプター５を介してセットされたディスク１を抜け止め保持する保持アーム２５と、ディスク１のアダプター５を回転駆動する駆動機構２４と、この駆動機構２４によって回転駆動されるディスク１の各演奏用係合部３により、対応した各スターホイール２６を介して、発音駆動されるオルゴール発音体２７とから構成されている。
【００２３】
すなわち、このベース台２１は、剛性強度が高い素材を用いて、少なくとも、ディスク１半径の長さより長い平板形状に形成され、その長手方向の一端に、ディスク１をアダプター５を介して回転可能に軸支する一方、他端に、駆動機構２４のモータＭを配設するとともに、これらの間に、オルゴール演奏時にモータ回転駆動力を、ディスク１のアダプター５に減速して伝達する駆動機構２４の伝達軸及び歯車を配設した構成とされ、この駆動機構２４により、オルゴール演奏時にディスク１を、一定回転方向に一定速度で回転駆動するようにしている。
【００２４】
この駆動機構２４は、図３に示すように、ディスク１が所定にセットされた場合、つまりディスク１に装着されたアダプター５が、中心軸２２に遊嵌されたときに、該ディスク１の外側に位置するモータＭと、このモータ回転出力をアダプター５に減速しつつ伝達する第１入力歯車３２、伝達軸３３、第１出力歯車３４、第２歯車３５とから構成されている。
【００２５】
この駆動機構２４のモータＭは、ＤＣモータが用いられ、ディスク１の外方に、そのモータ軸を、ベース台２１の平面と平行に、且つ、保持アーム２５の長手方向と直交して、ベース台２１の固定されている。従って、モータＭを、ベース台２１の平面に安定して保持するとともに、ディスクオルゴール２０の厚さを、ほぼ最小限、モータ径程度の高さに収めて、薄型化を図ることができるようにしている。
【００２６】
また、このモータＭの電源端子は、図示を省略したモータ駆動回路に接続され、このモータ駆動回路から、供給される駆動電流により、動作するように構成されている。
【００２７】
更に、このモータＭの出力軸には、ウォームギア３１が固着され、このウォームギア３１には、第１入力歯車３２が噛合している。この第１入力歯車３２は、このモータ出力軸の長手方向と直交し、且つスターホイール軸２６Ａと平行に軸支された伝達軸３３の一端に固着され、この伝達軸３３の他端には、第１出力歯車３４が固着されている。この第１出力歯車３４は、第２歯車３５の入力歯車部３５ａに噛合し、この第２歯車３５に一体に形成された出力歯車部３５ｂは、ディスク・セット時には、該ディスク１に装着されたアダプター５に一体に形成された歯車部８に噛合できるようにしている。
【００２８】
すなわち、この第２歯車３５は、互いに直交する回転面を有する入力歯車部３５ａ，出力歯車部３５ｂを一体に備えており、その入力歯車部３５ａが、略円板上の外周縁を軸方向に突設するとともに、この突設された端面に歯部が刻設されて形成され、この歯部が、第１出力歯車３４に噛合している。また、この第２歯車３５の出力歯車部３５ｂは、入力歯車部３５ａと同軸且つ内周に、比較的に小径な外歯状歯車に形成され、ディスク・セット時には、この出力歯車部３５ｂが、ディスク１に装着されたアダプター５に一体に形成された歯車部８に、噛合するように設けられている。従って、第１入出力歯車の回転を、該回転軸に直交する方向にベース台２１上にセットされたアダプター５に、減速しつつ伝達するようにしている。
【００２９】
更に、これらの互いに噛合する各歯車３１，３２，３４，３４，２３ｃ間には、所定の減速比が設定されている。
【００３０】
このように構成された駆動機構２４により、モータＭの回転駆動力は、所定速度に減速されつつアダプター５に伝達され、このアダプター５に装着されたディスク１を所定の回転速度で回転させるようにしている。
【００３１】
また、再び図１及び図２に示すように、保持アーム２５は、少なくとも前記ディスク１の半径長さよりも長い略長板形状に形成され、その基端が、ベース台２１に対して垂直に立設された基端軸に軸支されるとともに、先端が、同ベース台２１に立設された中心軸２２に、係合可能な形状に形成されている。
【００３２】
従って、ディスク１を交換する場合には、保持アーム２５をスイングし、保持アーム２５をディスク１の上方から退避させて、迅速且つ容易に、ディスク交換をすることができる。他方、ディスク交換が終了した場合には、保持アーム２５の先端が、中心軸２２に係合するとともに、アダプター５の上端面に当接するので、中心軸２２からの抜け止めが図られ、ディスク１を、確実にオルゴール２０に保持することができる。すなわち、オルゴール２０自体の姿勢に拘らず、ディスク１を安定保持して、オルゴール演奏できるようにしている。
【００３３】
尚、保持アーム２５の操作は、本例においては、使用者による手動操作としたが、保持アーム２５の基端軸を所定に回転駆動するモータを設けて、保持アーム２５の動作を自動化しても良い。
【００３４】
また、オルゴール音を発生するオルゴール発音体２７は、金属素材を用いて長板形状に形成され、セットされたディスク１と平行になるように、ベース台２１上に配設されている。このオルゴール発音体２７の一端側の先端は、クシ歯状形成されたオルゴール弁部２７ａが設けられ、オルゴール弁部２７ａ側の端部が、保持アーム２５に対応したディスク１の半径方向に揃うように、他端側の基端が、ベース台２１に設けられた台座部に固定されている。また、これらのオルゴール弁部２７ａ，２７ａは、発音する音階数に応じた所定数が設けられ、それぞれが、音階に応じた所定の厚さ及び長さに形成され、これらのオルゴール弁部２７ａ，２７ａの先端が弾かれると、所定の音階／音程のオルゴール音を生成するように設けられている。
【００３５】
そして、保持アーム２５に対応したディスク１下面側の箇所には、ディスク１の音階トラック数に応じた複数のスターホイール２６が、スターホイール軸２６Ａにより、回転可能に軸支されている。
【００３６】
このスターホイール２６は、どのような回転位置でも、ディスク１の係合突部に係合できるように、８つの爪部が設けられており、これらの爪部の回転方向における前側は、鋭角なスロープ面に形成される一方、後側は、回転方向に直交する面に形成されて、ディスク１の係合突部との係合を確実に行えるようにしている。
【００３７】
従って、演奏係合部として、穴を設けたタイプに比べて、全てのスターホイールの爪を一列に揃える整列動作や、穴に確実に係合するように回転方向にスターホイールを回転付勢する必要が無くなり、構成的に簡素化することができる。
【００３８】
また、各スターホイール２６に対峙したベース台２１の箇所には、摩擦を低減できる合成樹脂を用いて、スターホイール２６と同数に所定幅の間隙部を有した離間部材が設けられ、各スターホイール２６を、スターホイール軸長手方向に沿った所定の間隔に維持できるようにしている。
【００３９】
従って、各スターホイール２６は、回転可能に、それぞれ、対応したオルゴール発音体２７のオルゴール弁部２７ａに、常に対峙した位置であり、且つ、ディスク１に設けられた演奏用係合部３の回転軌跡に、常に対峙した位置で保持されるようになっている。
【００４０】
そして、ベース台２１に、任意に選択したディスク１をセットし、図示を省略した制御回路から正時等に起動信号が出力されたり、同様に図示を省略したモニタースイッチを使用者がオン操作すると、駆動機構２４によりディスク１が回転駆動され、曲目の音階に応じたオルゴール弁部２７ａが、所定のタイミングで、スターホイール２６の爪部２６ａにより爪弾かれ、オルゴール演奏が行われる。
【００４１】
すなわち、ディスク１の各演奏用係合部３の突起が、該演奏用係合部３に対応するスターホイール２６の爪部２６ａを引っ掛けて、該スターホイール２６を強制的に回転させ、この回転するスターホイール２６の後続する他の爪部２６ａにより、最終的にオルゴール弁部２７ａが弾かれ、オルゴール音が発生する。
【００４２】
これは、ディスク１が回転駆動され（図４（１））、演奏用係合部３がスターホイール２６の爪部２６ａのうち、例えば爪部２６ａと係合する（図４（２））と、該爪部２６ａは演奏用係合部３の突起３Ａにより強制的に移動され、スターホイール２６が回転させられる。このとき、スターホイール２６の爪部２６ａに後続する爪部２６ａがオルゴール弁部２７ａと当接し（図４（３））、更に回転移動してオルゴール弁部２７ａを爪弾いて（図４（４））、この結果、当該オルゴール弁部２７ａの固有な音階のオルゴール音が発生する。
【００４３】
次に、このように構成されたディスクオルゴール２０に用いるディスク１を説明する。
【００４４】
図５乃至図７に示すように、このディスク１は、ステンレス等の軽金属を用いて所定の剛性強度を備えた円盤形状に形成され、その裏面に曲目パターンに応じた複数の演奏用係合部３が設けられている。
【００４５】
また、ディスク１は、その中心に所定の内径を備えた円形状の装着孔２Ａが貫設され、この装着孔２Ａの近傍且つ曲目パターンの開始位置に応じた角度位置には、略四角形状の位置決め孔２Ｂが貫設されている。
【００４６】
また、このディスク１の裏面は、前述したオルゴール２０のオルゴール発音体２７のオルゴール弁２７ａに相応して、径方向に複数トラックに区画されており、各トラックが分担した音階の発音タイミングに応じた周方向の箇所には、演奏用係合部３が形成され、これらの演奏用係合部３により、所定の曲目パターンを構成している。
【００４７】
また、この演奏用係合部３は、本例においては、突起タイプのものが用いられており、金属製ディスク１の該当箇所を切り起こして突起３Ａを形成し、この突起３Ａを発音動作用の係合駆動部３としている。すなわち、略長方形のコ字形状に切り込み３ａを形成し（図８（１））、この切り込み３ａを押圧して切り起こし部３ｂに成形し（図８（２））、更にこの切り起こし部３ｂを中間で折り曲げて、所定高さにディスク１背面から突出した突起３Ａを形成している（図８（３））。また、このような演奏用係合部３は、自動的な加工機械により、ディスク１の内周側から外周側に向って、順次、形成されている。従って、このように演奏用係合部３を形成しているので、簡易な製作治具、製作工程で容易に、多数のディスク１を製作することができる。
【００４８】
更に、このディスク１の装着孔２Ａにアダプター５を装着するとともに、同ディスク１の位置決め孔２Ｂを用いて、アダプター５をディスク１の曲目開始位置と合せるようにしている。
【００４９】
また、このアダプター５は、ディスク・セット時には、ディスクオルゴールのベース台２１に立設された中心軸２２に遊嵌されるとともに、駆動機構の出力歯車に噛合されて、駆動機構に接続されるようになっている。
【００５０】
すなわち、このアダプター５は、再び図５乃至図７に示すように、合成樹脂を用いて、同一の底面部を有した所定の多重環形状に形成され、その内周から外周に向けて、中心軸２２に回転可能に挿嵌される軸挿嵌部６と、ディスク１の装着孔２Ａに嵌着されるディスク嵌着部７と、駆動機構の出力歯車に噛合される歯車部８と、ディスク１の下面に当接するとともに、ディスク１の前記位置決め孔２Ｂに係合する突起部９ａとディスク回転位置検出用の切欠き部９ｂとを備えた支持部９とが、一体成形により設けられている。
【００５１】
この軸挿嵌部６は、その内径が、ディスクオルゴールに立設された中心軸２２の外径と、ほぼ、同一径に形成されるとともに、その長手方向の寸法が、該中心軸２２に、安定して挿嵌できる十分な長さに設定されている。
【００５２】
従って、挿嵌された場合には、このアダプター５のみならず、アダプター５が結合されたディスク１を、中心軸２２に、安定して回転可能に軸支することができ、この中心軸２２に対するディスク回転の軸安定度を高めることができるようにしている。
【００５３】
また、この軸挿嵌部６において、そのディスクオルゴール側の開口端部は、先広がりのテーパー面が形成されている。
【００５４】
従って、中心軸２２に対して、アダプター５が僅かにずれたり、傾いたりしても、このテーパー面がガイド面となるので、中心軸２２に、ディスクが装着されたアダプター５を、容易に挿嵌することができるようにしている。
【００５５】
更に、このディスク嵌着部７は、略筒形状に形成され、その外直径の寸法が、ディスク１に設けられた装着孔２Ａの内径寸法と、ほぼ、同一に設定されている。
【００５６】
また、このディスク嵌着部７は、同図中において、上方の端面から下方に向けて、複数の切欠きが形成され、これらの切欠きによって分割されたディスク嵌着部７の各先端側を、径方向に弾性変形できるようにしている。
【００５７】
更に、これらの各先端には、抜け止め爪部７ａが設けられ、ディスク１にアダプター５を安定して、所定に装着できるようにしている。
【００５８】
すなわち、これらの抜け止め爪部７ａは、ディスク嵌着部７の所定箇所に、該ディスク嵌着部７の外周面と直交し、外周側に所定量、突出して形成された段差部と、この段差部の突出端面から開始され、先端に向かって、内周側に先細りに形成されたテーパー面とから構成されている。
【００５９】
また、アダプター５軸長手方向において、この段差部の段差面は、後述するように、支持部９のディスク支持面を、基準として、配置されており、これらの両者の間には、ディスク厚さの分だけの間隔が設けられている。
【００６０】
従って、このようにディスク嵌着部７が構成されているので、ディスク１にアダプター５を、容易に脱着することができるとともに、その装着時には、確実且つ安定して、アダプター５にディスク１を保持することができる。
【００６１】
すなわち、アダプター装着する場合には、まず、アダプター５を、そのディスク嵌着部７が、ディスク１の装着孔２Ａの近傍になるように位置させ、次に、該アダプター５をディスク側に押し入れると、一旦、抜け止め爪部７ａのテーパー面が、装着孔２Ａにより押圧され、ディスク嵌着部７を内周側に弾性変形させるので、この移動を継続させ、更に、装着孔２Ａが抜け止め爪部７ａを通過して、ディスク１が支持部９のディスク支持面に当接すると、移動が停止するとともに、アダプター装着が完了する。
【００６２】
そして、抜け止め爪部７ａの段差部と、支持部９のディスク支持面とによって、ディスク１が内周側で挾持されて、抜け止め、つまり両者が互いに軸方向に移動することが阻止されるとともに、ディスク嵌着部７の外周に、装着孔２Ａの内周が嵌合するので、互いに径方向に移動することが阻止され、確実にディスク１を保持できる。
【００６３】
また、アダプター装着を解除する場合には、アダプター５のディスク嵌着部７を内周側に押圧して、ディスク嵌着部７の各抜け止め爪部７ａと、ディスク１の装着孔２Ａとの係合を解除し、装着孔２Ａからディスク嵌着部７を抜き出すことにより、アダプター５をディスク１から容易に取り外すことができる。
【００６４】
更に、この歯車部８は、比較的に大径の円筒形状に形成され、この外周には所定歯数の外歯が、一体に設けられている。
【００６５】
従って、この歯車部８の比較的に大径な歯車を、オルゴール側に設けられた駆動機構の出力歯車に噛合し、回転駆動力を伝達するようにしているので、回転力の伝達が確実になり、安定したディスクの回転駆動が可能となる。
【００６６】
また、この支持部９は、所定の直径のリング形状に形成され、アダプター軸長手方向における、そのリング状支持面の位置が、この支持部９の支持面に当接して保持されるディスク１が、上述したディスクオルゴール２０側に配置された各スターホイール２６に対峙できるよう設定されている。
【００６７】
更に、この支持部９の外直径は、ディスク１に設けられた演奏用係合部３の最内周トラックに接触しない最大の直径寸法に設定され、この支持部９とディスク１との接触面積を十分に確保できるようにしている。
【００６８】
従って、この支持部９によって、該支持部９とディスク１との当接面積を確保して、アダプター５に安定保持するとともに、ディスク・セット時には、ディスク１の下面が、ディスクオルゴールのベース台面から、所定の間隔を、設けることができるようにしている。
【００６９】
尚、支持部９は、ディスクを十分に安定して保持できるとともに、１回転検出手段の被検出部である切欠き部９ｂを設けることができれば、その形状が限定されることはない。すなわち、円板形状ではなく、放射状に３本の支持アームを設けた構成としても良く、デザイン性やディスクへのアダプター脱着容易性の向上を図ることもできる。
【００７０】
また、支持部９の所定箇所には、ディスク１の位置決め孔２Ｂに係合し、ディスク１に対するアダプター５の回転角度位置を規定する突起部９ａと、ディスク１の回転停止及び開始位置を規定する切欠き部９ｂとが、設けられている。
【００７１】
すなわち、ディスク１の位置決め孔２Ｂは、予めディスク１の曲目パターンの開始位置に応じた角度位置に設けられ、同様に、この位置決め孔２Ｂに応じた角度位置に、アダプター側の支持部９の突起部９ａが設けられ、更に同様に、この突起部９ａに応じた角度位置に、支持部９の切欠き部９ｂが設けられている。
【００７２】
従って、ディスク１に装着されたアダプター５に対して、そのディスク１の演奏開始及び演奏終了位置は、常に一定となり、アダプター側の切欠き部９ｂを検出することにより、この演奏開始及び終了位置を判別することができる。
【００７３】
そして、本例においては、切欠き部９ｂの検出手段として、簡易なマイクロスイッチ３９をディスクオルゴール側に固定設置して用い、ディスク回転位置検出手段３７を構成している。
【００７４】
すなわち、支持部の切欠き部９ｂを設ける位置と、ディスクオルゴール２０のベース台２１上にマイクロスイッチ３９を設置する位置とは、互いに上下方向に一致した場合に、ディスク１の回転位置が、その開始曲の演奏開始及び演奏終了位置になるように設定されている。
【００７５】
このマイクロスイッチ３９は、図９（１）に示すように、スイッチ本体の上部に、ピン状のスイッチレバー３９ａを備え、このスイッチレバー３９ａは、その基端をスイッチ本体に回転可能に支持されるとともに、その先端が上方に向くようにバネ等により、付勢されている。
【００７６】
また、マイクロスイッチ３９とアダプター５の支持部９の下面との距離は、そのスイッチレバー３９ａの全長よりも短く、つまり、オルゴールの演奏途中の回転位置では、スイッチレバー３９ａが、支持部９の下面に当接して倒される距離に設定されている。
【００７７】
そして、このマイクロスイッチ３９内部には、スイッチレバー３９ａに連動して、検出信号を送出する接点構造等が収納されている。
【００７８】
また、このマイクロスイッチ３９は、通常とは逆転動作し、スイッチレバー３９ａが倒された場合に、オフ信号を出力する一方、スイッチレバー３９ａが起立した場合に、オフ信号を出力するように設定されている。尚、これに限らず、通常設定のマイクロスイッチを設置し、このスイッチの出力信号を逆転回路を介して用いる構成としても良い。
【００７９】
従って、ディスク１の１回転途中、つまり、オルゴール曲の演奏途中の場合には、図９（２）に示すように、マイクロスイッチ３９のスイッチレバー３９ａは、アダプター５の支持部９下面に当接して倒立され、オフ状態の信号が出力される。
【００８０】
そして、図９（３）に示すように、アダプター５に設けた切欠き部９ｂが、スイッチレバー３９ａの直上方位置に到達すると、この切欠き部９ｂにスイッチレバー３９ａが入り込み、スイッチレバー３９ａが上方に起立するので、マイクロスイッチ３９からオン状態の検出信号が出力され、これに基づき、ディスク１の回転駆動を停止し、オルゴール演奏を終了することができる。
【００８１】
尚、このようにディスクの回転位置検出手段を構成しているので、これを用いて、従来と同様に、ディスク１のセット時に、自動的にディスク１をオルゴール演奏開始位置に設定する自動設定機構を容易に実現することができる。
【００８２】
以上説明したように、本例のオルゴールディスクによれば、使用者が、ディスクをディスクオルゴールに、回転角度位置を不適切に装着しても、自動的に曲目の開始位置への自動設定が可能となる。
【００８３】
すなわち、例えば、ディスクの自動交換機構を用いる場合に、使用者が、ディスクを、正確に所定の向きに揃えずに、乱雑にディスクを交換ラックに収納しても、自動的に曲目の開始位置への自動設定が可能となる。
【００８４】
また、ディスクオルゴールの中心軸に、ディスクに予め結合されたアダプターの装着孔を填め込むだけで、ディスク交換を、容易且つすばやく行うことができるので、交換作業を容易に行えるとともに、設計の自由度を向上できる。
【００８５】
すなわち、例えば、時計体等に組込んだ場合には、極小スペースにディスクオルゴールを収納しても、このように余分な手間をかけずに、ディスク交換を行えることになり、その回りに装飾体を、比較的自由に配置することができ、デザイン性の向上を図って、商品価値を高めることができる。
【００８６】
また、同様な理由から、ケース内の奥まった所に配置されたり、手元が暗かったりしても、使用者の手探りのみでも、ディスク交換が行うことができる。
【００８７】
更に、ディスクに予め装着されたアダプターを用いて、オルゴールディスクにディスクをセットしているので、ディスクを安定して精度良く回転駆動することができる。
【００８８】
すなわち、従来のように、単に薄板円板状のディスクを、ディスクオルゴール側に設けたターンテーブルにセットし、このテーブルを回転駆動する構成に対して、本例のディスクとアダプターとの組合せによれば、ディスクとアダプターとを比較的に強固に結合するとともに、このアダプターは、ディスク・セット時に、その嵌合する中心軸の長手方向に十分な接触部分を有し、軸安定度を高めた構成にしているので、ディスクの回転軸に対する安定度が高まり、さらに、このアダプターに一体に設けた大径の外歯を直接的に回転駆動しているので、駆動精度も向上でき、これらの結果、オルゴール演奏の質的向上を図ることができる。
【００８９】
また、ディスクの１回転位置検出を、ディスク自体に、該検出用の爪部や孔部等からなる被検出部を設けずに、ディスクに装着したアダプターに設けた被検出部を用いて検出しているので、多数生産するディスク自体の製作が容易となるとともに、該被検出部の損傷によるディスク回転位置の制御不良等を防止することができ、ディスクの取り扱いが容易になる。
【００９０】
また更に、曲目スタート位置への位置合せを、直前のディスクの演奏停止位置に拘わり無く、使用者の任意で適正に設定することもできる。
【００９１】
また、このようにディスク装着が容易になるので、ディスクを自動交換するオートチェンジャ機構等の自動化に、なじませることができる。
【００９２】
更に、ディスク下面からアダプターが突設された形状になるので、ディスク下面に、凸部の演奏用係合部を設けた場合には、このディスクを、どこかに置いた際に、このアダプターによって、演奏用係合部を保護することが、ある程度期待できる。
【００９９】
以上のように、本発明によれば、ディスク交換が容易で、且つ、ディスク回転の安定性を向上したオルゴールディスクを得ることができる。
【図面の簡単な説明】
【図１】本発明のオルゴールディスクを用いたディスクオルゴールの全体構成を示す正面図である。
【図２】同ディスクオルゴールの概略全体構成を示す側面図である。
【図３】本例のオルゴールディスクの駆動機構を示す一部省略した斜視図である。
【図４】本例のオルゴールディスクの発音動作を説明し、（１）は発音準備状態を示し、（２）はオルゴールディスクの演奏用係合部にスターホイールの爪が係合した初期状態を示し、（３）はスターホイールの爪によりオルゴール弁が弾かれた発音状態を示す。
【図５】本例のオルゴールディスクに係り、概略全体構成を示す分解斜視図である。
【図６】本例のオルゴールディスクに係り、概略全体構成を示す斜視図である。
【図７】本例のオルゴールディスクに係り、（１）はアダプターを装着したオルゴールディスクの正面図、（２）は同ディスクの側面図、（３）は同ディスクの縦断面図である。
【図８】本例のオルゴールディスクの演奏用係合部である突起の形成過程を示し、（１）はオルゴールディスクに切り込みを入れた状態の斜視図、（２）はこの切り込みを押圧して切り起こし部を形成した状態の斜視図、（３）は更にこの切り起こし部を中間で折り曲げて突起を形成した状態の斜視図である。
【図９】本例に係り、（１）はマイクロスイッチを示す側面図、（２）及び（３）はマイクロスイッチとアダプターとの係合状態を示す図である。
【符号の説明】
１    オルゴールディスク
２Ａ    装着孔
２Ｂ    回転駆動用の位置決め孔
３    演奏用係合部
３Ａ    係合突起
５    アダプター
６    軸挿嵌部
７    ディスク嵌着部
７ａ    抜け止め爪部
８    歯車部
９    支持部
９ａ    突起部
９ｂ    切欠き部
２０    ディスクオルゴール
２１    ベース台
２２    中心軸
２４    駆動機構
２５    保持アーム
２６    スターホイール
２６Ａ    スターホイール軸
２７    オルゴール発音体
２７ａ    オルゴール弁
３１    ウォームギア
３２    第１入力歯車
３３    伝達軸
３４    第１出力歯車
３５    第２歯車
３５ａ    入力歯車部
３５ｂ    出力歯車部
３７    ディスク回転位置検出手段
３９    マイクロスイッチ
３９ａ  スイッチレバー
Ｍ    オルゴールディスク駆動用モータ
【図１】
0003629125.tif 000002
【図２】
0003629125.tif 000003
【図３】
0003629125.tif 000004
【図４】
0003629125.tif 000005
【図５】
0003629125.tif 000006
【図６】
0003629125.tif 000007
【図７】
0003629125.tif 000008
【図８】
0003629125.tif 000009
【図９】
0003629125.tif 000010